(57)【要約】【課題】本考案は、建造物の梁部材への取付け工事を簡素化できるようにするとともに、万一脱落事故を生じた場合でも通行人に与える被害を最小限に抑制できるように大幅な軽量化を図れるようにした建造物用鳥害防止装置を提供することを課題とする。【解決手段】建造物における構造材としての梁部材１０の平面部１０ｆに鳩などが止まるのを防止するため、それぞれ両面接着テープ１１ａ，１１ｂなどで接着される下部取付け材１２ａと上部取付け材１２ｂとを帯状傾斜材１２ｃで結合した一体構造の装置が設けられる。そして、下部取付け材１２ａ，上部取付け材１２ｂおよび帯状傾斜材１２ｃは、２枚の平行なプラスチック薄板の相互間にスペーサとしてのプラスチック隔板を具えた一体構造のダンプレートＤにより構成される。【選択図】  図１
0003112861.tif 000002
【実用新案登録請求の範囲】
【請求項１】
建造物における構造材としての梁部材に装着される鳥害防止装置において、上記梁部材の露出した水平板の前縁部上面に接着される下部取付け材と、上記梁部材の上記水平板から起立した垂直板の前面に接着される上部取付け材と、上記下部取付け材に下縁を一体に結合されるとともに上記上部取付け材に上縁を一体に結合されて傾斜した帯状傾斜材とを具え、上記の下部取付け材および上部取付け材ならびに帯状傾斜材が、相互の結合部分に屈曲性を有するように２枚の平行なプラスチック薄板の相互間にスペーサとしてのプラスチック隔板を具えた一体構造のダンプレートとして構成されていることを特徴とする、建造物用鳥害防止装置。
【考案の詳細な説明】
【技術分野】
【０００１】
本考案は、鉄道の駅構内などにおける建造物の梁部材に鳩などが飛来して止まり、糞の付着や落下による被害を及ぼすのを防止できるようにした、建造物用鳥害防止装置に関する。
【背景技術】
【０００２】
従来の建造物用鳥害防止装置としては図４に示すようなものが提案されており、梁部材１の水平板２の縁部に嵌合して取付けボルト３により装着された帯状グリップ部４に、傾斜した帯状の遮蔽板５が溶接または接着により取り付けられるようになっている。
上述の構造では、傾斜した遮蔽板５により、鳩などが梁部材１の水平板２に止まるのを防止することができる。しかしながら、帯状グリップ４などを梁部材１の水平板２に装着するのに手間がかかるほか、駅構内などでは取付けボルト３が振動などにより高所から落下して通行人に危険を及ぼす恐れがある。
【特許文献１】実開昭６４−９５８０号公報
【考案の開示】
【考案が解決しようとする課題】
【０００３】
本考案は、建造物の梁部材への取付け工事を簡素化できるようにするとともに、万一脱落事故を生じた場合でも通行人に与える被害を最小限に抑制できるように大幅な軽量化を図れるようにした建造物用鳥害防止装置を提供することを課題とする。
【課題を解決するための手段】
【０００４】
前述の課題を解決するため、本考案の建造物用鳥害防止装置は、建造物における構造材としての梁部材に装着される鳥害防止装置において、上記梁部材の露出した水平板の前縁部上面に接着される下部取付け材と、上記梁部材の上記水平板から起立した垂直板の前面に接着される上部取付け材と、上記下部取付け材に下縁を一体に結合されるとともに上記上部取付け材に上縁を一体に結合されて傾斜した帯状傾斜材とを具え、上記の下部取付け材および上部取付け材ならびに帯状傾斜材が、相互の結合部分に屈曲性を有するように２枚の平行なプラスチック薄板の相互間にスペーサとしてのプラスチック隔板を具えた一体構造のダンプレートとして構成されていることを特徴としている。
【考案の効果】
【０００５】
上述の本考案の建造物用鳥害防止装置では、建造物の構造材としての梁部材における水平板の前縁部上面に接着される下部取付け材と、上記梁部材の垂直板の前面に接着される上部取付け材とが、帯状の傾斜材により一体に結合されるので、鳩などが上記水平板上に止まるのを防止できるほか、相互の結合部分に屈曲性を有する軽量のプラスチック製ダンプレートとして一体構造に構成されるので、軽量材として取扱いが容易となり、その梁部材への接着が両面接着テープや接着剤などにより簡便に行えることと相まって、取付け工事の大幅な簡略化がもたらされる。そして、万一、脱落事故を起こしても、その軽量化されたダンプレートの特性により、被害を最小限に抑えることができる。
【実施例】
【０００６】
図１は本考案の一実施例としての建造物用鳥害防止装置の取付け状態を示す斜視図、図２（ａ），（ｂ）は上記鳥害防止装置の一部を断面で示す説明図、図３は上記鳥害防止装置の駅構内での使用状態を示す見取り図である。
【０００７】
図１に示すように、建造物における構造材としての梁部材（Ｈ型鋼）１０に装着される本実施例の鳥害防止装置Ａは、梁部材１０の平面部１０ｆに鳩などが止まるのを防止するためのものであって、梁部材１０の露出した水平板１０ａの前縁部上面に両面接着テープ１１ａを介し接着される下部取付け材１２ａを備えている。
【０００８】
また、梁部材１０の水平板１０ａから起立した垂直板１０ｂの前面に両面接着テープ１１ｂを介し接着される上部取付け材１２ｂが設けられる。
さらに、下部取付け材１２ａに下縁を一体に結合されるとともに上部取付け材１２ｂに上縁を一体に結合されて傾斜した帯状傾斜材１２ｃが設けられている。
【０００９】
そして、下部取付け材１２ａおよび上部取付け材１２ｂならびに帯状傾斜材１２ｃは、相互の結合部分に屈曲性を有するように、図２（ａ），（ｂ）に示すごとく、２枚の平行なプラスチック薄板ａ，ｂの相互間に波型または板状のスペーサとしてのプラスチック隔板ｃを具えた一体構造のダンプレートＤにより構成されている。
【００１０】
なお、図３は本実施例の建造物用鳥害防止装置Ａを鉄道の駅構内において建造物の梁部材Ｈに装着した状態を示している。
【００１１】
上述の本実施例の建造物用鳥害防止装置では、建造物の構造材としての梁部材１０における水平板１０ａの前縁部上面に接着される下部取付け材１２ａと、梁部材１０の垂直板１０ｂの前面に接着される上部取付け材１２ｂとが、帯状の傾斜材１２ｃにより一体に結合されるので、鳩などが水平板１０ａ上に止まるのを防止できるほか、相互の結合部分に屈曲性を有する軽量のプラスチック製ダンプレートＤとして一体構造に構成されるので、軽量材として取扱いが容易となり、その梁部材１０への接着が両面接着テープ１１ａ，１１ｂを介し簡便に行えることと相まって、取付け工事の大幅な簡略化がもたらされる。
そして、万一、脱落事故を起こしても、その軽量化されたダンプレートＤの特性により、被害を最小限に抑えることができる。
【００１２】
また、本実施例によれば、塗装や加工が容易に行われるほか、安価に構成できるようになり、さらに電気絶縁性を有する利点も得られる。
【図面の簡単な説明】
【００１３】
【図１】本考案の一実施例としての建造物用鳥害防止装置の取付け状態を示す斜視図である。
【図２】（ａ），（ｂ）図はいずれも本考案の建造物用鳥害防止装置を構成する素材の断面を例示する拡大図である。
【図３】本考案の建造物用鳥害防止装置を駅構内の建造物に用いた一例を示す見取り図である。
【図４】従来の建造物用鳥害防止装置の一例を示す説明図である。
【符号の説明】
【００１４】
１  梁部材
２  水平板
３  取付けボルト
４  グリップ部
５  遮蔽板
１０  梁部材
１０ａ  水平板
１０ｂ  垂直板
１０ｆ  平面部
１１ａ，１１ｂ  両面接着テープ
１２ａ  下部取付け材
１２ｂ  上部取付け材
１２ｃ  帯状傾斜材
Ａ  建造物用鳥害防止装置
Ｈ  梁部材
ａ，ｂ  プラスチック薄板
ｃ  プラスチック隔板（スペーサ）
Ｄ  ダンプレート
【図１】
0003112861.tif 000003
【図２】
0003112861.tif 000004
【図３】
0003112861.tif 000005
【図４】
0003112861.tif 000006